(57)【特許請求の範囲】
【請求項１】
有線または無線を介して連続的に配信されるコンテンツを、最新のものから順に所定時間分だけ記録する記録部と、
前記コンテンツを再生するためのコンテンツ再生手段と、
前記コンテンツのスロー再生を指示するためにユーザが利用する入力部と、
前記記録部および前記入力部に接続され、前記入力部より前記コンテンツのスロー再生指示を受け、前記指示を受信した時点の前後一定時間のコンテンツをスロー再生するためのスロー再生手段とを含む、記録再生装置。
【請求項２】
前記スロー再生手段は、前記コンテンツのスロー再生を繰返し行ない、
さらに、前記コンテンツのスロー再生時に、スロー再生の開始時刻位置、終了時刻位置および再生時刻位置を表示するための時刻表示手段と、
前記スロー再生の開始時刻位置または終了時刻位置を変更するための変更手段とを含む、請求項１に記載の記録再生装置。
【請求項３】
さらに、コンテンツを保存するコンテンツ保存部と、
スロー再生されているコンテンツの保存を指示するためにユーザが用いるコンテンツ保存指示手段と、
前記記録部、前記コンテンツ保存部および前記コンテンツ保存指示手段に接続され、現在スロー再生されているコンテンツを前記記録部より前記コンテンツ保存部に書出すコンテンツ書出部とを含む、請求項１または２に記載の記録再生装置。
【請求項４】
さらに、前記入力部に接続され、ユーザが前記コンテンツのスロー再生を指示した時点をブックマークとして記憶するためのスロー再生指示ブックマーク記憶手段と、
前記スロー再生指示ブックマーク記憶手段に接続され、選択されたブックマーク位置からコンテンツの再生を開始するためのブックマーク再生手段と、
前記スロー再生指示ブックマーク記憶手段に接続され、配信されるコンテンツのチャンネルが変更された際に、前記スロー再生指示ブックマーク記憶手段に記憶されたブックマークを消去するための第１のブックマーク消去手段とを含む、請求項１に記載の記録再生装置。
【請求項５】
さらに、有線または無線を介して配信される、コンテンツの開始時刻および終了時刻を記憶するコンテンツ配信情報記録部と、
前記コンテンツ配信情報記録部に接続され、現在再生中のコンテンツの開始時刻および終了時刻をブックマークとして記憶するためのコンテンツブックマーク記憶手段とを含み、
前記第１のブックマーク消去手段は、前記スロー再生指示ブックマーク記憶手段および前記コンテンツブックマーク記憶手段に接続され、配信されるコンテンツのチャンネルが変更された際に、前記スロー再生指示ブックマーク記憶手段および前記コンテンツブックマーク記憶手段に記憶されたブックマークを消去するための第２のブックマーク消去手段を含む、請求項４に記載の記録再生装置。
【発明の詳細な説明】
【０００１】
【発明の属する技術分野】
本発明は、有線や無線等の通信網を介して配信されるコンテンツ情報を再生する記録再生装置に関し、特に、コンテンツを遅延させて再生することができる記録再生装置に関する。
【０００２】
【従来の技術】
テレビ番組等の放映されている番組を視聴しているとき、少しの間席を外すなどして見たい番組を見逃すことがある。そのような場合に、席を離れる前にＶＴＲ（Video Tape Recorder）等で番組を録画してしておく方法がある。しかし、上記方法では、見逃した部分から番組を見たい場合には、その番組の放映が終了した後に録画した番組を見逃した部分から再生する必要がある。このため、番組の内容が途中で寸断されてしまうという問題がある。
【０００３】
そのような問題を解決するために、ＶＴＲの代わりにランダムアクセス可能なハードディスク記録再生装置が徐々に登場し始めている。ハードディスク記録再生装置を利用することにより、スポーツ番組などで決定的な場面を見逃した場合や、もう一度今の場面を再生（リプレイ）したい場合であっても、録画を続けたまま、所望の位置より再生することが可能である。
【０００４】
特開平７−３３６６３０号公報には、このようにランダムアクセス可能であり、映像を記録中に、現在から一定時間前までの間の任意の位置から再生を可能とする記録再生装置が提案されている。この記録再生装置は、少なくともランダムアクセスが可能で書き込みが可能な蓄積メディアと、動画または音声を入力する動画・音声入力部と、蓄積メディアにデータを書きこむデータ書込制御部と、蓄積メディアからデータを読出すデータ読出制御部と、動画または音声を出力する動画・音声出力部と、記録の開始や終了を指示する記録指示部と、再生の開始や終了を指示する再生指示部と、記録開始時点から現時点までの間の任意の位置を特定する再生位置制御部と、蓄積メディアに古いデータから順に上書き（オーバーライト）することにより、一定時間の動画または音声のデータを記録するオーバライト制御部とを含む。
【０００５】
このような構成により、蓄積メディアには一定時間の動画または音声のデータの記録しか行なわれない。このため、データが増大することがなく、蓄積メディアの容量を気にすることなく、見逃した場面や聞き逃したところから、また、もう一度見たい場面や聞きたいところから再生（リプレイ）することができる。
【０００６】
例えばサッカーのお気に入りの選手のゴールが決まったときにそのシーンをもう一度見たいような場合は、一時停止ボタンを押してシーンをストップさせ、巻き戻しボタンを押しシュートする前のシーンまで戻り、一時停止を解除することでゴールシーンをリプレイすることは可能である。このように、蓄積メディアはランダムアクセス可能な記憶媒体のため、瞬時に映像と照らしあわしながら所望の映像を見つけることができるようになる。
【０００７】
また、そのシーンを何度も見たいときには、シュートする前のシーンにブックマークをつけ、シーンの再生が終了すると、ブックマークボタンを押して、シュートする前のシーンに戻って再生することによって何度もゴールシーンを見ることができる。
【０００８】
さらにまた、ゴールシーン後の選手のパフォーマンス等も含めてみたいときには、一度再生または早送りを行ないながら、そのパフォーマンスが終わる位置を確認した後に、ブックマークボタンを押せば、シュートする前のシーンからパフォーマンスまでを見ることができるようになる。
【０００９】
このように、記録再生装置においては、番組を視聴中に一時的に席をはずす場合には、一時停止ボタンを押して映像を停止させ、席に戻った際に一時停止ボタンを解除することにより続きの場面から視聴が可能になる。また、ブックマーク機能を用いて視聴中に気に入った場面をユーザがチェックしておき、その場面を見たくなった場合にブックマークを選択することにより、ブックマークが付されている場面から録画されている映像の再生が可能となる。記録再生装置では、このようなタイムシフト機能を容易に実現することができる。
【００１０】
【発明が解決しようとする課題】
しかし、上記のタイムシフト機能を用いて、一時停止した場面から映像の再生を行なったとしても、その少し前に番組の内容が途切れているということがよくある。そのような場合には、ユーザは巻き戻し操作を行ない、巻き戻した位置から再生を行なう必要がある。
【００１１】
特開平７−３３６６３０号公報に開示の記録再生装置では、少し前の場面からのリプレイが可能であるが、リプレイしたいシーンが終了するのを待ち構えてからリプレイボタンを押さないと、例えばサッカーのゴールシーン等を完全にリプレイすることができない場合が出てくる。
【００１２】
また、サッカーのゴールシーン終了後のパフォーマンスのみを繰返してみたいのに、ゴールシーン終了後に一時停止ボタンを押してしまった場合には、ゴールシーンを再度リプレイしてしまう。このため、パフォーマンスのみを繰返して見るためには、早送り、再生、巻き戻し等の煩雑な処理を必要とする。
【００１３】
また、ブックマーク機能を使用することにより、チェックした場面に戻れることができる。しかし、ブックマークは同じ番組に対してであれば有効ではあるが、記録再生装置では放映されている番組を録画しながら視聴している。このため、チャンネルを変えることによって、録画している番組も変更されることになる。このため、特開平７−３３６６３０号公報に開示されているような記録再生装置において、ユーザがブックマークをチェックするのは、あまり有効ではない。また、複数のブックマークを付けすぎてしまうと、ユーザがチェックしておきながらも、どの場面でチェックしたブックマークなのかがわからなくなってしまう。
【００１４】
本発明は上述の課題を解決するためになされたもので、その目的は、決定的瞬間を簡単な操作で再生可能な記録再生装置を提供することである。
【００１５】
本発明の他の目的は、チェックしたブックマークが多すぎてわからなくなるのを防止することができる記録再生装置を提供することである。
【００１６】
【課題を解決するための手段】
本発明のある局面に従う記録再生装置は、有線または無線を介して連続的に配信されるコンテンツを、最新のものから順に所定時間分だけ記録する記録部と、コンテンツを再生するためのコンテンツ再生手段と、コンテンツのスロー再生を指示するためにユーザが利用する入力部と、記録部および入力部に接続され、入力部よりコンテンツのスロー再生指示を受け、指示を受信した時点の前後一定時間のコンテンツをスロー再生するためのスロー再生手段とを含む。
【００１７】
コンテンツの再生中に、スロー再生を指示すると、その前後のコンテンツが再生される。このため、たとえば、映像視聴中に決定的瞬間等の映像が表示されたときに、ワンボタンでそのシーンの前後の映像をスロー再生することが可能になる。
【００１８】
好ましくは、スロー再生手段は、コンテンツのスロー再生を繰返し行ない、記録再生装置は、さらに、コンテンツのスロー再生時に、スロー再生の開始時刻位置、終了時刻位置および再生時刻位置を表示するための時刻表示手段と、スロー再生の開始時刻位置または終了時刻位置を変更するための変更手段とを含む。
【００１９】
コンテンツの開始時刻位置および終了時刻位置を変更することにより、たとえば、映像の決定的瞬間をスロー再生できるようになる。
【００２０】
さらに好ましくは、記録再生装置は、さらに、コンテンツを保存するコンテンツ保存部と、スロー再生されているコンテンツの保存を指示するためにユーザが用いるコンテンツ保存指示手段と、記録部、コンテンツ保存部およびコンテンツ保存指示手段に接続され、現在スロー再生されているコンテンツを記録部よりコンテンツ保存部に書出すコンテンツ書出部とを含む。
たとえば、映像の決定的瞬間を保存することができ、後から何度も再生することができるようになる。
【００２１】
さらに好ましくは、記録再生装置は、さらに、入力部に接続され、ユーザがコンテンツのスロー再生を指示した時点をブックマークとして記憶するためのスロー再生指示ブックマーク記憶手段と、スロー再生指示ブックマーク記憶手段に接続され、選択されたブックマーク位置からコンテンツの再生を開始するためのブックマーク再生手段と、スロー再生指示ブックマーク記憶手段に接続され、配信されるコンテンツのチャンネルが変更された際に、スロー再生指示ブックマーク記憶手段に記憶されたブックマークを消去するための第１のブックマーク消去手段とを含む。
【００２２】
ユーザがコンテンツのスロー再生を指示するごとに、ブックマークが自動的に付されていく。このため、ブックマークをつけるためのボタンを設ける必要がなくなり、ユーザが操作に手間取るのを防ぐことができる。また、チャンネルが変更されるとそれまでのブックマークが自動的に消去される。このため、たくさんのブックマークを登録しすぎ、どのシーンに戻るのかわからなくなるのを防止することができる。
【００２３】
さらに好ましくは、記録再生装置は、さらに、有線または無線を介して配信される、コンテンツの開始時刻および終了時刻を記憶するコンテンツ配信情報記録部と、コンテンツ配信情報記録部に接続され、現在再生中のコンテンツの開始時刻および終了時刻をブックマークとして記憶するためのコンテンツブックマーク記憶手段とを含み、第１のブックマーク消去手段は、スロー再生指示ブックマーク記憶手段およびコンテンツブックマーク記憶手段に接続され、配信されるコンテンツのチャンネルが変更された際に、スロー再生指示ブックマーク記憶手段およびコンテンツブックマーク記憶手段に記憶されたブックマークを消去するための第２のブックマーク消去手段を含む。
【００２４】
【発明の実施の形態】
図１を参照して、本発明の実施の形態に係る記録再生装置は、有線・無線等の通信回線を介して、コンテンツの配信情報またはコンテンツを受信する通信部１と、通信部１に接続され、通信部１の受信情報の中からコンテンツ配信情報を抽出するコンテンツ配信情報抽出部２と、通信部１に接続され、通信部１の受信情報の中からコンテンツを抽出するコンテンツ抽出部３と、記録記憶装置の各部の制御を行なう制御部５と、コンテンツ配信情報抽出部２および制御部５に接続され、コンテンツ配信情報抽出部２が抽出したコンテンツ配信情報を記憶するコンテンツ配信情報記録部４と、コンテンツ抽出部３および制御部５に接続され、コンテンツ抽出部３により抽出されたコンテンツを記録実行するか否かを判定するコンテンツ記録実行判定部６と、制御部５およびコンテンツ記録実行判定部６に接続され、コンテンツ記録実行判定部６によって記録するように判定されたコンテンツを記録する記録部７とを含む。
【００２５】
記録再生装置は、さらに、制御部５に接続され、コンテンツ記録実行判定部６により記録しないように判定されたコンテンツを、制御部５を介して受信して表示したり、記録部７において記録したコンテンツを、制御部５を介して受信して表示する表示装置８と、コンテンツを利用する利用者が記録再生装置に対してコマンド等を入力するために使用する入力部９と、入力部９および制御部５に接続され、入力部９によって入力された入力動作を判断する入力動作判断部１０と、入力動作判断部１０および制御部５に接続され、入力動作判断部１０で判断された入力動作の中で記録部７のタイムシフトによるスロー再生範囲や記録部７の記録時間（容量）などの情報を管理するタイムシフトテーブル１４と、記録部７に接続され、入力動作判断部１０からのコンテンツ書出指示に従い、コンテンツ書出操作を行なうコンテンツ書出部１２と、コンテンツ書出部１２に接続され、コンテンツ書出部１２により書出されたコンテンツを保存するコンテンツ保存部１３と、制御部５および記録部７に接続され、コンテンツ配信情報記録部４による表示チャンネルの番組開始終了時間や入力部９より遅延操作指示やチャンネル等の変更があったときの時間情報を、ブックマークとして管理するブックマーク管理部１１とを含む。
【００２６】
ここでコンテンツには、有線、無線を介して配信することが可能な、映像、画像、音声、書籍、ゲームおよびそれらに類似するデジタルおよびアナログデータが含まれる。また、記録再生装置は、それらのデータを受信・記録・再生可能な装置である。表示装置８は、ここでは記録再生装置において映像を表示するために用いられているが、その他のコンテンツを利用する装置（たとえば、コンテンツが音声の場合には音声再生装置）として用いられていてもよい。
【００２７】
本実施の形態では、記録再生装置を配信されているＴＶ（テレビジョン）番組に対する記録再生装置として説明する。
【００２８】
図２を参照して、コンテンツ配信情報記録部４には、各々のコンテンツの配信情報（コンテンツのタイトル、チャンネル名、放送時間）が記録されている。記憶されているコンテンツ配信情報は、表示装置８に表示することが可能である。
【００２９】
図３を参照して、記録再生装置がコンテンツを受信し、表示する処理について説明する。
【００３０】
通信部１は、有線や無線の通信網を介して配信されているコンテンツ情報を受信する（ステップＳ１）。ステップＳ１で受信されたコンテンツ情報には、コンテンツおよびコンテンツ配信情報が含まれており、受信時にそれらの情報が判断される（ステップＳ２）。受信した情報がコンテンツ配信情報の場合には（ステップＳ２でＮＯ）、コンテンツ配信情報抽出部２は、コンテンツ配信情報を抽出し（ステップＳ３）、コンテンツ配信情報記録部４に記録する（ステップＳ４）。
【００３１】
受信した情報がコンテンツの場合には（ステップＳ２でＹＥＳ）、コンテンツ抽出部３はコンテンツを抽出する（ステップＳ５）。コンテンツ記録実行判定部６は、抽出されたコンテンツを記録部７に記録するかどうか判断する（ステップＳ６）。ここでのコンテンツ記録の判断は、あらかじめユーザが設定しており、入力部９より入力動作判断部１０を介してタイムシフトテーブル１４にて管理されている。コンテンツ記録実行判定部６は、制御部５を介してタイムシフトテーブル１４のコンテンツを記録するかどうかの情報を抽出し、判断する。タイムシフトテーブル１４の詳細については後述する。
【００３２】
コンテンツを記録すると判断された場合には（ステップＳ６でＹＥＳ）、コンテンツは記録部７に記録される。ここでの記録とはコンテンツをそのままハードディスク等のランダムアクセス可能な記録装置に記録する他に、コンテンツを圧縮し記録することも含まれる。ステップＳ７で記録されたコンテンツは瞬時に制御部５にて伸長され（ステップＳ８）、表示装置８にて表示される（ステップＳ１０）。
【００３３】
コンテンツを記録しないと判断された場合には（ステップＳ６でＮＯ）、そのままコンテンツが表示装置８に表示される（ステップＳ１０）。
【００３４】
図４を参照して、ステップＳ６の判断で用いられるタイムシフトテーブル１４の管理内容について説明する。タイムシフトテーブル１４の内容は、入力部９からの指示により、入力動作判断部１０で判断され、更新される。タイムシフトテーブル１４はタイムシフト制御に必要なデータが含まれている。
【００３５】
タイムシフトに関する何らかのアクションが起こったときには、制御部５がタイムシフトテーブル１４を参照し、制御を行なう。タイムシフトテーブルの管理項目には、「Ａ：受信した映像を記録しながら再生するか否か」、「Ｂ：記録する容量（時間）」、「Ｃ：タイムシフトを開始した時間より何秒前までの映像をスローで再生するかを示すスロー再生開始時間」、「Ｄ：タイムシフトを開始した時間より何秒後までの映像をスローで再生するかを示すスロー再生終了時間」、「Ｅ：スロー再生速度」、「Ｆ：リプレイ繰返し回数」などがある。
【００３６】
図５を参照して、図３のステップＳ１０でコンテンツを表示装置８に表示している状態において、タイムシフトボタンが押された時の動作について詳細に説明する。ここでタイムシフトボタンとは、表示されているコンテンツの通常再生を変化させるボタンであって、あるシーンを一時停止する機能、スロー再生する機能を実現可能にすると同時にそれらの状態に入ったコンテンツを元の再生状態に戻す機能を有する。
【００３７】
コンテンツを表示装置８にて再生中に入力部９よりタイムシフトボタンが押されると（ステップＳ２０）、入力動作判断部１０はタイムシフトテーブル１４を参照し、現在、記録部７にコンテンツが記録実行されているかどうかを判断する（ステップＳ２１）。記録部７にコンテンツが記録実行されていない場合は（ステップＳ２１でＮＯ）、入力動作判断部１０は、制御部５を介してコンテンツ記録実行判定部６にコンテンツを記録するように指示を出す（ステップＳ２２）。そのときにタイムシフトテーブル１４のコンテンツを記録するか否かを示す項目（図４のＡ）を「コンテンツを一時的に記録する」ように変更する。ただし、この項目には、ユーザがコンテンツを記録しないように設定してあるため、タイムシフト機能終了時には自動的に、「コンテンツを記録しない」ように変更される。
【００３８】
ステップＳ２２にてコンテンツを記録するように指示を受けたコンテンツ記録実行判定部６は、瞬時に受信したコンテンツを記録部７に記録しながら、表示装置８に表示する（ステップＳ２３）。
【００３９】
Ｓ２３の処理の後、または、記録部７にコンテンツが記録実行されている場合には（Ｓ２１でＹＥＳ）、入力動作判断部１０は、利用者が入力部９のタイムシフトボタンを押した時間を判断する（ステップＳ２４）。すなわち、タイムシフトボタンを押した時間が一定時間以上か否かを判断する。
【００４０】
仮に一定時間以上タイムシフトボタンを押した場合には、映像を一時停止するものとし、一定時間未満の場合はスロー再生するものとする。
【００４１】
タイムシフトボタンを押した時間が一定時間以上の場合には（Ｓ２４で一定時間以上）、表示装置８に表示されている映像を一時停止させる。記録部７に記録される映像は古いものから順に新しいものへと更新されていく。このため、一時停止された映像は、記録部７にて一定時間しか記録されない。よって、一時停止した映像が１番古くなったり、一時停止が解除されると（ステップＳ３２でＹＥＳ）、一時停止した映像から次の映像が自動的に再生される（ステップＳ３５）。
【００４２】
タイムシフトボタンを押した時間が一定時間未満の場合には（ステップＳ２４で一定時間未満）コンテンツのスロー再生が行なわれるが、その前に、記録部７に録画データが存在するか否かが判断される（ステップＳ２７）。録画データが記録部７に記録されていなければ（ステップＳ２７で無）、図４に示したタイムシフトテーブル１４にて「スロー再生終了時間」および「スロー再生速度」が確認され、制御部５は表示装置８に対してタイムシフトボタンを押した時点からスロー再生を開始する（ステップＳ２８）。スロー再生を開始してからスロー再生終了時間までの映像を再生すると（ステップＳ２９）、再度タイムシフトボタンを押した時点に戻り（Ｓ３３でＮＯ）、スロー再生を繰返す。スロー再生の途中に記録部７にタイムシフト用記録容量分の映像が記録され、スロー再生している部分の映像が１番古くなったり、スロー再生がタイムシフトテーブル１４のリプレイ繰返し回数分リプレイされたり、スロー再生が入力部９からの指示により解除されたりすると（ステップＳ３３でＹＥＳ）、スロー再生している映像が、通常の速度になり、リプレイすることなく自動的に再生される（ステップＳ３５）。
【００４３】
録画データが記録部７に記録されていれば（ステップＳ２７で有）、タイムシフトボタンを押した時点からスロー再生が始まり（ステップＳ３０）、スロー再生終了時間までスロー再生するとスロー再生開始時間まで戻り（ステップＳ３１）、スロー再生が繰返される（Ｓ３１でＮＯ）。スロー再生途中に記録部７にタイムシフト用記録容量分のコンテンツが記録され、スロー再生開始時間部分のコンテンツが１番古くなったり、スロー再生がタイムシフトテーブル１４のリプレイ繰返し回数分リプレイしたり、スロー再生が入力部９からの指示により解除されたりすると（ステップＳ３４でＹＥＳ）、スロー再生している映像が、通常の速度になり、リプレイすることなく自動的に再生される（ステップＳ３５）。
【００４４】
ここでステップＳ３３でＹＥＳ、Ｓ３４でＹＥＳとなった場合には、ともにスロー再生されているコンテンツがそのまま速度だけを変えて再生されることになる。
【００４５】
次に、このタイムシフト中の再生動作について時間軸をもとに説明する。図６は、図５のステップＳ２５およびステップＳ３２の一連の動作を説明したものである。ｔ＝Ｔ０となるまでは、映像は記録されながら再生されている。このとき記録部７には映像が時間Ｂ前まで記録されている。ここで時間Ｂは、図４で説明したタイムシフト用記録容量（時間）である。ｔ＝Ｔ０で一時停止になると、再生されていた映像は停止する。ｔ＝Ｔ１（Ｔ１＞Ｔ０）のときにも映像は一時停止されているためｔ＝Ｔ０時点の映像が表示されている。このとき記録部７にはｔ＝Ｔ１までの映像が記録されているが、タイムシフト記録容量（時間）は一定である。このため、古い映像は順次削除されていく。よって、ｔ＝Ｂになると、一時停止されていた映像は通常の再生を開始する。
【００４６】
図７を参照して、記録部７に予め映像が記録されていない場合に、タイムシフトボタンを一定時間未満押したときの時間毎の動作（図５のステップＳ２８、Ｓ２９およびＳ３３）について説明する。ｔ＝Ｔ０でタイムシフトボタンを押すと、表示されている映像はスロー再生になる。ｔ＝Ｔ１では記録されている映像はｔ＝Ｔ０からｔ＝Ｔ１まである。この時点では、図４で説明したスロー再生終了時間Ｄまでスロー再生が実行されるとｔ＝Ｔ０に戻り、スロー再生が行なわれる。ｔ＝Ｔ２（Ｔ１＜Ｔ２＜Ｂ）でも、Ｔ０からＤ間のスロー再生操作が行なわれる。ｔ＝Ｂになると、記録部７に記録されているＴ＝Ｔ０の時の映像から順次消去されていく。このため、ｔ＝Ｔ２の時点より、スロー再生から通常の再生に戻る。たとえば、時間（Ｂ＋α）経過したときの動作が図示されている。
【００４７】
図８を参照して、記録部７に予め映像が記録されている場合に、タイムシフトボタンを一定時間未満押したときの時間毎の動作（図５のステップＳ３０、Ｓ３１およびＳ３４）について説明する。ｔ＝Ｔ０でタイムシフトボタンが押されると、表示されている映像はスロー再生になる。スロー再生終了時間Ｄまで再生が終了すると、スロー再生開始時間Ｃに戻り再度スロー再生を続行する。ｔ＝Ｂ−Ｃまでスロー再生が繰返されると、記録部７に記録されているｔ＝Ｔ０−Ｃの映像、すなわちスロー再生の最初の映像から順次消去されていく。このため、ｔ＝Ｂ−Ｃの時点よりスロー再生から通常の再生に自動的に戻る。
【００４８】
図６〜図８では、タイムシフトボタンが押された後、ある一定時間まで解除動作がなかった場合について説明したが、一時停止およびスロー再生が解除された場合またはタイムシフトテーブル１４のリプレイ繰返し回数だけスロー再生を繰返した場合には、自動的に通常再生に戻る。
【００４９】
図９を参照して、通常の再生動作をスロー再生動作に変更した場合に、表示装置８に表示される映像の表示方法について説明する。通常再生の場合は、通信部１で受信された映像は、コンテンツ記録実行判定部６または記録部７を介して表示装置８にリアルタイム表示される。仮に通常の映像データが１秒間あたり６０コマで構成されているとする。タイムシフトボタンが押されて、スロー再生を行なうことが入力動作判断部１０から制御部５に伝わると、制御部５はタイムシフトテーブル１４のスロー再生速度の数値を読取る。スロー再生速度の数値がたとえば０．８倍速であれば、制御部５はタイムシフトテーブル１４のスロー再生速度に従い、６０×０．８＝４８コマの映像を１秒間の映像とする。その４８コマの映像を６０コマに分割した映像を構成し、表示装置８に通常どおり表示させることで、スロー再生が可能になる。
【００５０】
次に上述のようなスロー再生を行なっている時に、図１０に示すようなスライドを同時に表示させ、シーンを簡単に縞集する方法について説明する。図１１を参照して、図５のステップＳ２０にてタイムシフトボタンが押された時の動作について説明する。通信部１で受信したコンテンツを表示装置８に表示している時に、タイムシフトボタンが入力部９より押されると（ステップＳ２０）、入力動作判断部１０はタイムシフトボタンの押し方を検知し、ボタンの押し方によってスロー再生かどうか判断する（ステップＳ４０）。
【００５１】
スロー再生でない場合には（Ｓ４０でＮＯ）、画面が一時停止されたままで、スライドを出すことなく、このプログラムを終了する。
【００５２】
スロー再生する場合には（Ｓ４０でＹＥＳ）、入力動作判断部１０は制御部５に対し、スロー再生であることを指示する。制御部５はタイムシフトテーブル１４を参照し、タイムシフトテーブル１４に設定されている値に基づいて、表示装置８にスライドを表示する（ステップＳ４２）。スライドについては、図１０を参照して後に詳述する。スライドが表示されると同時に、スロー再生が開始される（ステップＳ４３）。そのとき制御部５は、記録部７に記録されている映像情報の再生時間を絶対時間として、タイムシフトテーブル１４の内容をタイムシフトテーブル１４よりコンテンツ書出部１２に書込む。コンテンツ書出部１２には、随時変化している記録部７に記録されている映像の開始時間・終了時間、タイムシフトボタンが押された時間およびその前後のスロー再生開始時間・終了時間が格納されている。スロー再生が開始された後は、制御部５は入力部９よりスライドに対して何らかの入力があるかどうか判断する（ステップＳ４４）。
【００５３】
入力部９からのスライドに対する入力がない場合には（ステップＳ４４で無）、スロー再生している映像が１番古くなるか、リプレイ繰返し回数分再生されるか、またはスロー再生が解除されたかどうか判断する（ステップＳ４５）。ステップＳ４５のいずれの条件にも当てはまらない場合には、ステップＳ４４に戻る。
【００５４】
ステップ４５のいずれかの条件に当てはまった場合には（ステップＳ４５で有）、表示されていたスライドが消え（ステップＳ４６）、通常の再生動作に戻る（ステップＳ４７）。
【００５５】
入力部９からのスライドに対する入力がある場合には（ステップＳ４４で有）、入力動作判断部１０はスライドの中の何を変更するかを判断する（ステップＳ４８）。図１０のスロー再生開始点スライドバーが動かされると、スロー再生開始点の映像の確認が行なわれる（ステップＳ４９）。このときスライドバーを動かすことによって、スライドバーに追随して表示装置８に表示される映像も変化する。このときには、スロー再生が中止され、スライドバーで指定されたスロー再生開始点の映像が表示される。スロー再生開始点が決定されると、利用者がスライドバーを押すことにより、スロー再生開始点が固定され、そのスロー再生開始点がコンテンツ書出部１２に記録される（ステップＳ５０）。その後、スライドバーを操作する前のスロー再生が開始された後（ステップＳ５１）、Ｓ４４に戻る。
【００５６】
図１０のスロー再生終了点スライドバーが動かされると、スロー再生終了点の映像の確認が行なわれる（ステップＳ５２）。このときスライドバーを動かすことによって、スライドバーに追随して表示装置８に表示される映像も変化する。このときには、スロー再生が中止され、スライドバーで指定されたスロー再生終了点の映像が表示される。スロー再生終了点が決定されると、利用者がスライドバーを押すことによって、スロー再生終了点が固定され、そのスロー再生終了点がコンテンツ書出部１２に記録される（ステップＳ５３）。その後、スライドバーを操作する前のスロー再生が開始された後（ステップＳ５１）、Ｓ４４に戻る。
【００５７】
図１０のスライドのシーン書出ボタンが押下されると、制御部５はコンテンツ書出部１２に書出作業を指示し、コンテンツ書出部１２に格納されているスロー再生開始点からスロー再生終了点の映像の書出操作を行なう（ステップＳ５４）。ステップＳ５４にて書出された映像は、コンテンツ保存部１３に保存される（ステップＳ５５）。その後、スライドバーを操作する前のスロー再生が開始された後（ステップＳ５１）、Ｓ４４に戻る。
【００５８】
図１０を参照して、スライドについてさらに詳細に説明する。このスライドは、図１１のステップＳ４２でスロー再生が開始された際に表示される。スライドは表示装置８の一部に表示されるものとする。スロー再生開始点スライドバーおよびスロー再生終了点スライドバーは、スクロールバーおよびボタンの機能を有する。
【００５９】
図１１のフローチャートを参照して説明したように、ステップＳ４９でのスロー再生開始点の操作はスロー再生開始点スライドバーを前後させることにより、表示装置８には、スロー再生開始点の映像が表示される。また、スロー再生開始点スライドバーを押すことにより、スロー再生開始点が確定し、スロー再生が開始される。図１１のステップＳ５２でのスロー再生終了点の操作においてもスロー再生終了点スライドバーをスライドまたは押下することにより同様の操作を実現することができる。また、図１１のステップＳ５４でシーン書出ボタンを押すことによって、映像の書出しが実行される。このときは、スロー再生が実行されたままになっている。
【００６０】
次に、ブックマーク管理部１１の機能について説明する。ブックマーク機能とは、映像に同期したタイムテーブルを有し、タイムテーブル上に映像中のシーンに対応したフラグを立てることにより、ワンボタンでそのシーンに移動することができる機能のことである。そのフラグをブックマークと呼ぶ。通常のランダムアクセス可能な記録再生装置では、映像を見ているユーザがボタンを押すことによって、瞬時に見たい場面にアクセスすることが可能となる。図１のコンテンツ配信情報記録部４には、図２に示すようにチャンネル毎に番組の開始時間・終了時間が記録されている。記録再生装置の電源が入ったとき、およびチャンネルが変わった時に制御部５はコンテンツ配信情報記録部４よりそのチャンネルの開始時刻・終了時刻を読込み、ブックマーク管理部１１に登録する。
【００６１】
また、表示している映像を一時停止またはスロー再生するためにタイムシフトボタンを押した時間がブックマークとして登録される。また、チャンネルが変更されたときは、スロー再生中を除いて、制御部５は、ブックマーク管理部１１に登録されたブックマークデータを消去する。それとともに、制御部５は、チャンネル変更時点をブックマークとして登録し、そのチャンネルの開始時刻・終了時刻をコンテンツ配信情報記録部４より読込み、ブックマーク管理部１１に登録する。
【００６２】
スロー再生中にチャンネルが変更されたときには、そのスロー再生点以外のブックマークが消去され、新たに変更したチャンネルの開始時刻・終了時刻・チャンネル変更点がブックマークとして登録される。
【００６３】
図１２を参照して、ブックマーク作成処理について説明する。記録再生装置に電源が投入されるなどして立ち上げられると（ステップＳ６０）、制御部５は表示装置８に表示されている番組のチャンネルに基づいて、コンテンツ配信情報記録部４から開始時間および終了時間を読出し、ブックマーク管理部１１にブックマークとして登録する（ステップＳ６１）。入力部９よりチャンネル変更動作がなされたか否かが判断される（ステップＳ６２）。
【００６４】
チャンネル変更動作がなされた場合には（ステップＳ６２で有）、制御部５は、ブックマーク管理部１１でこれまでに管理されているブックマーク情報を削除する（ステップＳ６３）。ブックマークが削除されるとともに、チャンネルを変更した時間がブックマークとしてブックマーク管理部１１に記録される（ステップＳ６４）。コンテンツ配信情報記録部４より、変更後のチャンネルで放映されている番組の開始時間および終了時間が読込まれ、ブックマーク管理部１１に記録される（ステップＳ６５）。
【００６５】
ステップＳ６５の後、またはチャンネル変更がない場合には（ステップＳ６２で無）、入力部９のタイムシフトボタンが押されることによる特殊再生操作が行なわれたかどうか判断する（ステップＳ６６）。特殊再生操作が行なわれた場合には（ステップＳ６６で有）、タイムシフトボタンを押した時刻（特殊再生点）がブックマークとしてブックマーク管理部１１に記録される（ステップＳ６７）。
【００６６】
ステップＳ６７の後、または特殊再生操作が行なわれなかった場合には（ステップＳ６６で無）、記録再生装置の電源が落とされたかどうかが判断され（ステップＳ６８）、電源が落とされた場合には（ステップＳ６８でＹＥＳ）、ブックマークが削除される。電源が投入された状態では（ステップＳ６８でＮＯ）、ステップＳ６２に戻る。
【００６７】
ブックマークは、記録再生装置が動作している間は常に変化している。記録再生装置の記録部７に記録されているコンテンツの中で、ブックマークが付されている映像が含まれている場合には、ブックマークが付された映像にジャンプすることが可能になる。このようにブックマークを自動的に作成することにより、ブックマークを作成するためのボタンを入力部９に用意する必要がなくなる。
【００６８】
以上説明したように、本実施の形態によると、映像視聴中に決定的瞬間等の映像が表示されたときに、ワンボタンでそのシーンの前後の映像をスロー再生することが可能になる。
【００６９】
サッカーのゴールシーンなどの場合は、視聴者はシュートが決まった時点でリプレイ操作をすることが多い。それによって選手のフォームやすばやいテクニックの確認をスロー再生で見ることができる。その上、そのシーンを自動的に繰返し再生するために操作に時間をかける必要がなくなる。また、ゴールシーン後の選手のパフォーマンス等までも見ることができるため、その選手のファンにとっては、うれしいものである。
【００７０】
ゴルフの映像を見ている場合に、ゴルフのスイングが終了した時点でタイムシフトボタンを押すと、ゴルフの最初のスイングからスイング終了までの映像をスローで見ることができる。そのうえ、スイング終了後のゴルフボールの軌道なども一緒に確認できるようになる。
【００７１】
また、英会話などの放送で、聞き取れなくなったところからスロー再生を行なえば、聞き取れなかった部分の少し前から少し後までの会話を確認しながら聞くことが可能になる。このため、音声が聞き取れなかった場合にも録画再生装置は有効になる。また、スロー再生時点でスライドが表示されているため、簡易な操作でスロー再生終了時間を延ばしてやることが可能になる。
【００７２】
また、野球、ゴルフおよびサッカーなどでの決定的瞬間のみをスライドを利用して抽出し、保存することにより、後で見ることが可能になる。
【００７３】
このように、記録再生装置では無駄な記録容量を使うことなく、決まった容量でタイムシフト機能のみを利用することが可能になり、必要なシーンのみを記録することが可能になる。それに加え、ブックマークを自動的に作成することが可能である。このため、入力部にブックマークをつけるためのボタンを設ける必要がなくなり、利用者が操作に手間取ることを防ぐことができる。また、チャンネルが変更されるとそれまでのブックマークが自動的に消去される。このため、たくさんのブックマークを登録しすぎ、どのシーンに戻るのか分からなくなるのを防止できる。
【００７４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００７５】
【発明の効果】
本発明によると、決定的瞬間を簡単な操作で再生することができる。また、チェックしたブックマークが多すぎてわからなくなるのを防止することができる。
【図面の簡単な説明】
【図１】  本発明の実施の形態に係る記録再生装置のハードウェア構成を示すブロック図である。
【図２】  コンテンツ配信情報記録部に記憶されているコンテンツの配信情報の一例を示す図である。
【図３】  記録再生装置がコンテンツを受信し、表示する処理のフローチャートである。
【図４】  タイムシフトテーブルの設定内容の一例を示す図である。
【図５】  コンテンツを表示装置に表示している状態において、タイムシフトボタンが押された場合の動作のフローチャートである。
【図６】  タイムシフトボタンを押した際の動作の一例を示す図である。
【図７】  タイムシフトボタンを押した際の動作の一例を示す図である。
【図８】  タイムシフトボタンを押した際の動作の一例を示す図である。
【図９】  スロー再生映像の構成の仕方を説明するための図である。
【図１０】  スロー再生時に表示されるスライドの一例を示す図である。
【図１１】  図５のステップＳ２０にてタイムシフトボタンが押された時の動作のフローチャートである。
【図１２】  ブックマーク作成処理のフローチャートである。
【符号の説明】
１  通信部、２  コンテンツ配信情報抽出部、３  コンテンツ抽出部、４  コンテンツ配信情報記録部、５  制御部、６  コンテンツ記録実行判定部、７  記録部、８  表示装置、９  入力部、１０  入力動作判断部、１１  ブックマーク管理部、１２  コンテンツ書出部、１３  コンテンツ保存部、１４  タイムシフトテーブル。
【図１】
0004462749.tif 000002
【図２】
0004462749.tif 000003
【図３】
0004462749.tif 000004
【図４】
0004462749.tif 000005
【図５】
0004462749.tif 000006
【図６】
0004462749.tif 000007
【図７】
0004462749.tif 000008
【図８】
0004462749.tif 000009
【図９】
0004462749.tif 000010
【図１０】
0004462749.tif 000011
【図１１】
0004462749.tif 000012
【図１２】
0004462749.tif 000013